(57)【要約】      （修正有）【課題】コントロールモジュールを通じて、水予熱循環装置のポンプをリモート制御し、予め設定した時間になると、ユーザーが直ちにお湯を使用できる水予熱循環装置の構造を提供する。【解決手段】ボックス本体１０、ポンプ１２、コントロールモジュール１３、Ｙ字型ジョイント１４、第一管路１５、第二管路１６、第三管路１７及び第四管路１８で構成され、給水配管から第三管路、Ｙ字型ジョイント、第二管路を経て給湯器に至り、温水配管を経て蛇口に到る管路と共に、該温水配管と蛇口との間に第四管路、ポンプ、第一管路、Ｙ字型ジョイントを経て第二管路に接続され、給湯器から温水配管を経て循環する水循環路を構成し、起動時に温水配管内の水を該水循環路を経て給湯器に循環させて加熱するようにした。【選択図】図１
0003154691.tif 000002
【実用新案登録請求の範囲】
【請求項１】
ボックス本体、ポンプ、コントロールモジュール、Y字型ジョイント、ポンプから排出する第一管路、第二管路、第三管路及び第四管路から構成し、
該ポンプとコントロールモジュールを接続して該ボックス本体内に設置し、
該第一管路の一端の管路口をポンプの水出口と接続し、他端はY字型ジョイントの第一開口と接続し、
該第二管路の一端の管路口をY字型ジョイントの第二開口と接続し、他端は給湯器に到る管路と接続するボックスの開口と接続し、
該第三管路の一端の管路口をY字型ジョイントの第三開口と接続し、他端の管路口を給水配管と接続するボックス本体の開口と接続し、
該第四管路の一端の管路口をポンプの吸水口と接続し、他端の管路口を蛇口に到る水循環路を構成する配管と接続する該ボックスの開口と接続して組み立てることにより、
給水配管から第三管路、Ｙ字型ジョイント、第二管路を経て給湯器に至り、温水配管を経て蛇口に到る管路と共に、
該温水配管と蛇口との間に第四管路、ポンプ、第一管路、Ｙ字型ジョイントを経て第二管路に接続され、給湯器から温水配管を経て循環する水循環路を構成し、
起動時に温水配管内の水を該水循環路を経て給湯器に循環させて加熱するようにしたことを特徴とする水予熱循環装置の構造。
【請求項２】
前記コントロールモジュールと建築物内部に予め設置したコントロールモジュール及びポンプの電源スイッチと接続して、手動、或いはリモートコントロール手段により該スイッチを入れることを特徴とする請求項１記載の水予熱循環装置の構造。
【請求項３】
前記ポンプは、一体に構成したことを特徴とする請求項１記載の水予熱循環装置の構造。
【請求項４】
前記水予熱循環装置は、給湯器の内部に設置して、一体に構成したことを特徴とする請求項１記載の水予熱循環装置の構造。
【考案の詳細な説明】
【技術分野】
【０００１】
本考案は、水予熱循環装置の構造に関し、給湯器及び現有の温水配管、給水配管と組合し、実際のユーザーのニーズと配管の長さによって時間を設定し、予めボタンを押す或いはリモート方法で水予熱循環装置をスタートさせ、該装置を通じて温水配管内の冷水を給湯器に吸引して加熱させておくだけで、一定時間後ユーザーが蛇口をひねれば、直ちにお湯を出すことを特徴とする水予熱循環装置に関する。
【背景技術】
【０００２】
通常蛇口よりお湯を出すには、予め配管内にある冷水を数分間かけて全て出してからお湯に変わるが、これでは多くの水を浪費することになる。
【０００３】
一世帯あたり３.３人とし、従来通りに給湯器を使用すると、毎日お湯が出るまでに流れる冷水は１００リットルに上る。単純計算で毎年一世帯３６５００リットルの水が浪費されることになる。申請者の国は約７５０万世帯であるため、毎年６８４億３７５０万ガロン、一日あたり１億８７５０ガロンが浪費されることになる。これは同時に温室効果の一つの原因にもなる。
【０００４】
２００７年フランストゥール人口年会より発表した数字によると、２００５年6月までの世界人口は既に６５億人に達している。従来通りの給湯器を使用すると、毎日一人当たり冷水浪費量は３３．３リットル、世界人口で一日の冷水浪費量は５４１億１２５０ガロンという驚くべき結果が出た。
【０００５】
現在世界各国では経済を振興し、弱者を助け、省エネ及び人材育成を主な課題とする傾向があり、本考案はこの方針に則って開発している。特にエネルギーの面において、従来の資源の“浪費”を見直し、資源を再利用することで、経済振興の一役を買うことを期待している。
【０００６】
時間検知器や、自動温度探知器、電気を遮断しないシステム、圧力解除バルブ、圧力ボンベなどを含む定時定温の水循環装置が提案されている。ユーザーはニーズに基づき上述の部品を通じて時間を設定し、水を循環させる。該水循環装置は設定時間に基づき起動して加熱を行なうが、ユーザーは直ちにお湯を使わないときでも、当該装置は設定した時間に作動するため、設定時間と使用時間が食い違って不便が生じ、ガスや電力を浪費することにも繋がり、電気やガスの節約効果がないほか、突然給湯器が燃焼する不安をユーザーが抱くことになる。
【０００７】
更に、当該種類の水循環装置内の管路の口径が小さく、彎曲している場所が多く、現建築物の配管の口径とも合わないため、水圧不足や流量が低下する状況が生じることなどを鑑みて、更なる改善が必要であった。
【先行技術文献】
【特許文献】
【０００８】
【特許文献１】特開２００３−２６９７９５号公報
【特許文献２】特開平８−２８９５６号公報
【考案の概要】
【考案が解決しようとする課題】
【０００９】
本考案の第1の目的は、コントロールモジュールを通じて、水予熱循環装置のポンプをリモート制御し、予め設定した時間になると、ユーザーが直ちにお湯を使用できる水予熱循環装置の構造を提供することにある。
本考案の第2の目的は、当該装置を用いて水や電気、ガス及び時間などの資源を節約する水予熱循環装置の構造を提供することにある。
本考案の第3の目的は、簡単な構成により、製造コストを抑える水予熱循環装置の構造を提供することにある。
本考案の第4の目的は、配管のサイズと形状を変えることで、水がスムーズに流れ、温度が上昇する時間を短縮する水予熱循環装置の構造を提供することにある。
【課題を解決するための手段】
【００１０】
前記課題を解決するために、本考案はボックス本体、ポンプ、コントロールモジュール、Y字型ジョイント、第一管路、第二管路、第三管路及び第四管路で構成する水循環装置を提供し、給湯器及び建築物現有の温水配管、給水配管と組み合わせて使用することで、ユーザーがお湯を使用する前、直ちにコントロールモジュールを通じて水予熱循環装置のポンプをリモート制御し、温水配管内の冷水を給湯器に戻して再度加熱してから、給湯器の温水出口より温水配管にお湯を戻す動作を数十秒から数分間繰り返し、予め設定時間になるとストップし、ユーザーが直ちにお湯を使うことができる。
【００１１】
当該装置を使用すると、水や電気、ガス及び時間などの資源を節約することができ、貴重な資源の浪費を無くすことができるほか、ユーザーは給湯器或いはその他の加熱設備(例えば速熱タイプの電気ガス給湯器、電気ガス保存ボンベタイプの給湯器、ボイラー)が随時燃焼しているという不安を取り除くことができる。
【００１２】
当該装置は従来の水循環装置内に具有する圧力ボンベ、時間設定器、自動温度探知機、電気を遮断しないシステム、圧力解除バルブを取り除くことで、製造コストを節約することができる。
【００１３】
また、当該装置の配管口径を大きくし、彎曲した場所を真っ直ぐに、長さを短くすることで、水がスムーズに流れ、温度上昇する所要時間も短縮する水予熱循環装置である。
【考案の効果】
【００１４】
本考案は給湯器及び建築物現有の温水配管、給水配管と組み合わせて使用することができ、ユーザーはお湯を使う前に、予め水予熱循環装置のスイッチを入れると、該装置は直ちに温水配管内にある冷水を給湯器にまで吸引して加熱し、数十秒から数分間、予め設定した時間まで循環させて停止するため、直ちに蛇口からお湯が出て、水を浪費することがなくなる。
【図面の簡単な説明】
【００１５】
【図１】本考案の内部構造正面図である。
【図２】本考案の実施略図である。
【考案を実施するための形態】
【実施例】
【００１６】
図１に示すように、該水予熱循環装置１０はボックス本体１１、ポンプ１２、コントロールモジュール１３、Y字型ジョイント１４、第一管路１５、第二管路１６、第三管路１７及び第四管路１８で構成する。ポンプ１２は一体成型であり、該Y字型ジョイント１４によって水循環路内の水を送り込む。
【００１７】
該ボックス本体１１の内側トップの適切な箇所に開口１１１を設け、ボックス本体１１の内側底面の適切な箇所に二つの開口１１２、１１３を設ける。該ポンプ１２はボックス本体１１の内側底面の、二つの開口１１２、１１３の設置を阻害しない適切な箇所に設置する。該コントロールモジュール１３はボックス本体１１の内側背面に設置し、ポンプ１２と接続されえて、ポンプ１２の駆動をコントロールする。該コントロールモジュール１３で時間設定を行なうほか、ポンプを作動することができる。
【００１８】
該第一管路１５の一端の管路口１５１とポンプ１２の水出口１２１と接続固定し、該第一管路１５の他端の管路口１５２をY字型ジョイント１４の第一開口１４１と接続固定する。
【００１９】
該第二管路１６の一端の管路口１６１をY字型ジョイント１４の第二開口１４２と接続固定し、第二管路１６の他端の管路口１６２はボックス本体１１の開口１１１に位置する。
【００２０】
該第三管路１７の一端の管路口１７１はY字型ジョイント１４の第三開口１４３と対応して接続固定する。第三管路１７の他端の管路口１７２はボックス本体１１の開口１１２と対応して接続固定する。
【００２１】
第四管路１８の一端の管路口１８１はポンプ１２の吸水口１２２と対応して接続固定し、第四管路１８の他端の管路口１８２はボックス本体１１の開口１１３と対応して接続固定することで、水予熱循環装置１０の組み立てを完成する。
【００２２】
図２に示すのは、建築物に予め設置している温水配管２１と、更に別途水循環管路２４を配置する。該水予熱循環装置１０を給湯器２０の近くに設置し、建築物に予め設置している温水配管２１の吐出口２１１を給湯器２０の温水出口２０１と接続固定する。該管路２２の一端にある管路口２２１を給湯器２０の給水開口２０２と接続し、他端の管路口２２２を水循環装置１０の管路口１６２と接続する。
【００２３】
建築物に予め設置した給水配管２３の水出口２３１と水循環装置１０の管路口１７２を接続固定し、次に該水循環管路２４の開口２４１と水予熱循環装置１０の管路口１８２を接続固定する。最後に現場の状況或いはユーザーのニーズに基づき、該水予熱循環装置１０のコントロールモジュール１３で時間を設定可能にすれば、該水予熱循環装置１０と給湯器２０及び建築物現有の温水配管２１、給水配管２３の組合せ設置が完了する。
【００２４】
ユーザーが熱いお風呂に入る際、服を脱ぐ前に蛇口３０をひねらず、まず手動で予め建築物内の適切で便利な場所に設置したスイッチを押す、或いはリモート方法でスイッチを入れ、該水予熱循環装置１０のポンプ１２が作動し始める。該ポンプ１２は温水配管２１内の冷水を吸い入れ、第四管路１８、第一管路１５、第二管路１６を通って給湯器２０内に流して加熱してから、給湯器２０の温水出口２０１から温水配管２１に流出することで、水の循環状態を形成し、予め設定した時間で停止するまで持続する。この時、ユーザーは蛇口３０を開ければ、直ちにお湯が使える。
【００２５】
該水予熱循環装置１０は給湯器２０と組み合わせて使用できるだけでなく、速熱タイプの電気ガス給湯器、電気ガス保存ボンベタイプの給湯器、ボイラーなど、その他の加熱設備と組み合わせても、水予熱循環の効果に達する。
【符号の説明】
【００２６】
１０  水予熱循環装置
１１  ボックス本体
１１１  １１２  １１３  開口
１２  ポンプ
１２１  水出口
１２２  進水口
１３  コントロールモジュール
１４  Y字型ジョイント
１４１  第一開口
１４２  第二開口
１４３  第三開口
１５  第一管路
１５１  １５２  管路口
１６  第二管路
１６１  １６２  管路口
１７  第三管路
１７１  １７２  管路口
１８  第四管路
１８１  １８２  管路口
２０  給湯器
２０１  温水出口
２０２  給水開口
２１  温水配管
２１１  進水口
２２  管路
２２１  ２２２  管路口
２３  給水配管
２３１  水出口
２４  水循環管路
２４１  開口
３０  蛇口
【図１】
0003154691.tif 000003
【図２】
0003154691.tif 000004